(57)【要約】【課題】２つの円盤部材間の軸方向の外れ止めをする外周保持部材を、円盤部材の外周部に適切に溶接して組み付けられるようにする。【解決手段】車両用シートの連結装置（リクライニング装置４）であり、互いに相対回転可能な状態に組まれる円盤形状のラチェット１０及びガイド２０と、これらの回転止めをするポール３０・・と、これらの軸方向の外れ止めをする外周リング７０（外周保持部材）とを有する。外周リング７０は、円周方向に分割された２枚のパーツ７０Ａ，７０Ｂにより構成され、各パーツ７０Ａ，７０Ｂは、それぞれ、ラチェット１０の外周部に軸方向にあてがわれる保持面部７１を有し、ガイド２０の外周部２２よりも緩やかな曲率の円弧形状に湾曲して形成されて、上記外周部２２に対し径方向の外側から組み付けられて、この外周部２２との曲率の違いにより当接する各一点の当接箇所がそれぞれ溶接されて組み付けられている。【選択図】図１
2013006545.tif 000002
【特許請求の範囲】
【請求項１】
車両用シートを構成する二つの部材同士を互いに相対回転可能な状態に連結する回転止め機能を備えた車両用シートの連結装置であって、
互いに相対回転可能な状態に軸方向に組み付けられる二枚の円盤部材と、
当該二枚の円盤部材の間に組み付けられてこれらの回転止めを行うロック部材と、
当該二枚の円盤部材の外周部間に跨って組み付けられてこれらの軸方向の外れ止めをする外周保持部材と、を有し、
前記外周保持部材は、一方側の前記円盤部材の外周部に軸方向にあてがわれる保持面部を有し、他方側の前記円盤部材の外周部に径方向の外側から組み付けられて溶接により一体的に結合される構成とされ、
前記外周保持部材は、円周方向に分割された複数のパーツにより構成され、当該各パーツは、それぞれ、他方側の前記円盤部材の外周部よりも緩やかな曲率の円弧形状に湾曲して形成されており、前記各パーツが、他方側の前記円盤部材の外周部に径方向の外側から組み付けられて該外周部との曲率の違いにより当接する各一点の当接箇所がそれぞれ溶接された状態で、同円盤部材の外周部に沿うように他の箇所が曲げ加工されて組み付けられていることを特徴とする車両用シートの連結装置。
【請求項２】
請求項１に記載の車両用シートの連結装置であって、
前記外周保持部材の前記各パーツは、その組み合わされた全周の長さが他方側の前記円盤部材の外周部の周長よりも長く設定されており、互いに合わされる端部同士の形状が互いに軸方向にずらされて互いの円周方向の重なりが逃がされる構造とされていることにより、他方側の前記円盤部材の外周部に対する周長差を吸収可能な逃がし構造を備えた構成とされていることを特徴とする車両用シートの連結装置。
【請求項３】
請求項１又は請求項２に記載の車両用シートの連結装置であって、
前記外周保持部材の前記各パーツは、その互いに合わされる端部同士が他方側の前記円盤部材の外周部と共に溶接されて一体的に結合されていることを特徴とする車両用シートの連結装置。
【発明の詳細な説明】
【技術分野】
【０００１】
本発明は、車両用シートの連結装置に関する。詳しくは、車両用シートを構成する二つの部材同士を互いに相対回転可能な状態に連結する回転止め機能を備えた車両用シートの連結装置に関する。
【背景技術】
【０００２】
従来、車両用シートのリクライニング装置として、下記特許文献１に開示されたものが知られている。このリクライニング装置は、図１に示すように、シートバックに連結される円盤部材と、シートクッションに連結される円盤部材と、を有し、これら円盤部材同士が互いに相対回転可能に軸方向に組み付けられた状態として、互いの外周部間に跨って装着されるリング状の外周保持部材により互いに軸方向に外れ止めされた状態とされた構成となっている。上記両円盤部材は、一方側の円盤部材上にセットされた外周歯を備えるロック部材を半径方向の外方側に移動させて他方側の円盤部材の内周歯に噛合させることにより、互いの相対回転がロックされる構成とされている。上記外周保持部材は、円周方向に２分割された構成とされており、それぞれ、両円盤部材の外周部間に跨るように径方向の外方側から組み付けられて、一方側の円盤部材に溶接されて結合された状態とされている。
【先行技術文献】
【特許文献】
【０００３】
【特許文献１】特許第４４３５８０４号公報
【発明の概要】
【発明が解決しようとする課題】
【０００４】
しかし、上記特許文献１に記載の従来技術では、外周保持部材は、その２分割された各パーツの湾曲する曲率が、これらの組み付けられる両円盤部材の外周部の曲率とほぼ同じ設定されており、製造誤差により各パーツの曲率が小さく仕上げられた場合に、各パーツと円盤部材との間に空きが生じてしまい、溶接を適切に行えなくなるおそれがある。本発明は、上記問題を解決するものとして創案されたものであって、本発明が解決しようとする課題は、２つの円盤部材間の軸方向の外れ止めをする外周保持部材を、円盤部材の外周部に適切に溶接して組み付けられるようにすることにある。
【課題を解決するための手段】
【０００５】
上記課題を解決するために、本発明の車両用シートの連結装置は次の手段をとる。
第１の発明は、車両用シートを構成する二つの部材同士を互いに相対回転可能な状態に連結する回転止め機能を備えた車両用シートの連結装置である。この車両用シートの連結装置は、互いに相対回転可能な状態に軸方向に組み付けられる二枚の円盤部材と、これら円盤部材の間に組み付けられてこれらの回転止めを行うロック部材と、これら円盤部材の外周部間に跨って組み付けられてこれらの軸方向の外れ止めをする外周保持部材と、を有する。外周保持部材は、一方側の円盤部材の外周部に軸方向にあてがわれる保持面部を有し、他方側の円盤部材の外周部に径方向の外側から組み付けられて溶接により一体的に結合される構成とされている。外周保持部材は、円周方向に分割された複数のパーツにより構成されている。各パーツは、それぞれ、他方側の円盤部材の外周部よりも緩やかな曲率の円弧形状に湾曲して形成されている。各パーツが、他方側の円盤部材の外周部に径方向の外側から組み付けられて、この外周部との曲率の違いにより当接する各一点の当接箇所がそれぞれ溶接された状態で、同円盤部材の外周部に沿うように他の箇所が曲げ加工されて組み付けられている。
【０００６】
この第１の発明によれば、外周保持部材を構成する各パーツが緩やかな曲率の円弧形状とされていることにより、各パーツを他方側の円盤部材の外周部に径方向の外側からあてがうことで、各パーツが上記外周部に対して互いの曲率の違いによりそれぞれ一点でのみ当接した状態となる。この当接箇所は、上記曲率の違いによって狙ったポイントで得ることができるため、この当接箇所を溶接することにより、各パーツを他方側の円盤部材に対して適切に接合して組み付けることができる。
【０００７】
第２の発明は、上述した第１の発明において、外周保持部材の各パーツは、その組み合わされた全周の長さが他方側の円盤部材の外周部の周長よりも長く設定されており、互いに合わされる端部同士の形状が互いに軸方向にずらされて互いの円周方向の重なりが逃がされる構造とされていることにより、他方側の円盤部材の外周部に対する周長差を吸収可能な逃がし構造を備えた構成とされているものである。
【０００８】
この第２の発明によれば、外周保持部材の各パーツを組み合わせた全周長が、これらの組み付けられる他方側の円盤部材の外周部の周長より長く設定されていても、逃がし構造により、各パーツを重ねることなく組み付けることができる。したがって、外周保持部材の各パーツを、他方側の円盤部材の外周部により広くあてがえて適切に接合して組み付けることができる。
【０００９】
第３の発明は、上述した第１又は第２の発明において、外周保持部材の各パーツは、その互いに合わされる端部同士が他方側の円盤部材の外周部と共に溶接されて一体的に結合されているものである。
【００１０】
この第３の発明によれば、各パーツの互いに合わされる端部同士を他方側の円盤部材の外周部と共に溶接して一体的に結合することにより、各パーツを他方側の円盤部材に対してより強固に適切に接合して組み付けることができる。
【図面の簡単な説明】
【００１１】
【図１】実施例１のリクライニング装置の構成を表した分解斜視図である。
【図２】車両用シートの外観斜視図である。
【図３】シートバックフレームとリクライニング装置との連結構造を表した斜視図である。
【図４】シートクッションフレームとリクライニング装置との連結構造を表した斜視図である。
【図５】リクライニング装置のロック状態を表した図３のV-V線断面図である。
【図６】リクライニング装置のアンロック状態を表した断面図である。
【図７】図５のVII-VII線断面図である。
【図８】外周リングをガイドに組み付ける第１の工程を表した正面図である。
【図９】外周リングをガイドに組み付ける第２の工程を表した正面図である。
【図１０】図９の外周リングの繋ぎ目の形状を表した上面図である。
【発明を実施するための形態】
【００１２】
以下に、本発明を実施するための形態について、図面を用いて説明する。
【実施例１】
【００１３】
始めに、実施例１の車両用シートの連結装置の構成について、図１〜図１０を用いて説明する。本実施例の車両用シートの連結装置は、図２に示すように、車両用シート１のシートバック２をシートクッション３に対して背凭れ角度調節可能な状態に連結するリクライニング装置４，４として構成されている。詳しくは、上記リクライニング装置４，４は、シートバック２の骨格を成すシートバックフレーム２ｆの左右両サイドの下端部と、シートクッション３の骨格を成すシートクッションフレーム３ｆの左右両サイドの後端部と、の間にそれぞれ介在して設けられており、シートバックフレーム２ｆの各サイド部を、シートクッションフレーム３ｆの各サイド部に対して、それぞれ、互いに同軸回りに相対回転可能な状態となるように連結している。これにより、シートバック２が、シートクッション３に対して、シート前後方向に傾動回転可能に連結された状態とされている。上記各リクライニング装置４，４は、それらの内部に備えられた回転止め構造（ロック構造）により、上記回転移動を許容した状態となったりロックした状態となったりするように切り替えられるようになっている。ここで、シートバックフレーム２ｆとシートクッションフレーム３ｆとがそれぞれ本発明の「車両用シートを構成する部材」に相当する。
【００１４】
詳しくは、各リクライニング装置４，４は、それらの軸心部に挿通された各操作軸４ｃ，４ｃの軸回転操作に伴って、ロック・アンロックの各状態に切り替えられるようになっており、各操作軸４ｃ，４ｃがコネクティングロッド４ｒによって互いに一体的に連結されていることによって、互いのロック・アンロックの各状態への切替え操作が左右で同期して一斉に行われるようになっている。上記各リクライニング装置４，４は、常時は、後述するばね附勢構造によってロックした作動状態に保持されており、シートバック２の背凭れ角度を固定した状態に保持されている。そして、このシートバック２の背凭れ角度の固定状態は、シートクッション３の車両外側（図２の紙面右側）の側部に設けられた解除レバーを引き上げる操作によって、各操作軸４ｃ，４ｃが一斉に軸回転操作されて解除されるようになっている。この解除操作により、シートバック２がその背凭れ角度位置を自由に調節することができる状態となる。また、上記解除操作をやめることにより、各リクライニング装置４，４が再びそれらのばね附勢構造によってロック状態に戻されて、シートバック２が背凭れ角度を固定された状態に戻される。
【００１５】
ここで、上記シートバックフレーム２ｆの両サイド部とシートクッションフレーム３ｆの両サイド部との間には、シートバック２を常時シート前方側に向かって回転附勢するばね（図示省略）が掛着されている。このばね附勢力により、シートバック２は、その背凭れ角度の固定状態が解かれることにより、着座乗員の背部に当たる位置まで起こし上げられて、着座乗員の背部を前後に傾動させる動きに追従してその背凭れ角度位置を自由に変化させるように動けるようになっている。ここで、上述したシートバック２は、その背凭れ角度位置が上方側に真っ直ぐに起立した位置からシート後方側に傾倒される角度領域内にあるときには、解除レバーの操作をやめることによりその背凭れ角度が固定された状態（ロック状態）に戻されるが、上記起立位置からシート前方側に傾倒される角度領域内に入ることにより、解除レバーの操作をやめても背凭れ角度が固定された状態（ロック状態）には戻されないようになっている。
【００１６】
前者の背凭れ角度が固定された状態に戻される角度領域は、後述する各リクライニング装置４，４に設定されたロックゾーンの回転領域となっており、後者の背凭れ角度が固定された状態に戻されない角度領域は、後述する各リクライニング装置４，４に設定されたフリーゾーンの回転領域となっている。上記フリーゾーンの回転領域の設定により、車両用シート１に人が座っていない状態で、解除レバーを操作して、シートバック２を上記ばねの附勢力によってシート前方側へと倒し込んでいく時には、シートバック２が上記起立位置を越える位置まで倒し込まれたら、あとは解除レバーから操作の手を離しても、シートバック２をシートクッション３の上面部に畳み込まれる位置まで大きく前に倒し込めるようになっている。
【００１７】
以下、上述した各リクライニング装置４，４の構成について、詳しく説明していく。なお、各リクライニング装置４，４は、互いに左右対称の構成となっており、実質的に同じ構成となっている。したがって、以下ではこれらを代表して、図２の紙面向かって右側に示されている車両外側に配されたリクライニング装置４の構成についてのみ説明することとする。図１に示すように、リクライニング装置４は、円盤形状のラチェット１０及びガイド２０と、４個のポール３０・・（・・は複数を表す。）と、回転カム４０と、ヒンジカム５０と、渦巻きばね６０と、外周リング７０と、レリーズプレート８０と、フリーゾーンプレート９０と、を有し、これらが互いに軸方向に１つに組み付けられて構成されている。ここで、ラチェット１０が本発明の「一方側の円盤部材」に相当し、ガイド２０が本発明の「他方側の円盤部材」に相当し、各ポール３０・・が本発明の「ロック部材」に相当し、外周リング７０が本発明の「外周保持部材」に相当する。なお、図１では、ラチェット１０及びガイド２０の各内側の盤面形状が良く示されるように、ラチェット１０とガイド２０とが互いに見開き状に向かい合うように並べられて配置されている。
【００１８】
詳しくは、上記ラチェット１０は、その円盤部１１の外周部に、ガイド２０への組み付け方向となる板厚方向に円筒状に突出する円筒部１２が形成されている。この円筒部１２は、円盤部１１の外周部が板厚方向に半抜き加工されることによって押し出されて形成されている。そして、この円筒部１２の内周面には、後述する各ポール３０・・の外周歯面３０ａ・・を噛合させることのできる内歯を有した内周歯面１２ａが全周領域にわたって形成されている。上記ラチェット１０は、図３に示すように、その円盤部１１の外側の盤面が、シートバックフレーム２ｆの外側の板面に接合されて一体的に連結されている。
【００１９】
詳しくは、上記ラチェット１０の円盤部１１には、その外側の盤面から円筒状に突出する複数のダボ１３ａ・・やＤダボ１３ｂが形成されている。これらダボ１３ａ・・やＤダボ１３ｂは、円盤部１１の比較的外周縁側に近い位置に、互いに円周方向に等間隔に並んで配置形成されている。このうち、Ｄダボ１３ｂは、その突出した円筒形状の一部が断面Ｄ字状に切り欠かれて形成されており、円筒形状に突出した各ダボ１３ａ・・とは形状が区別されるようになっている。
【００２０】
一方、シートバックフレーム２ｆには、上述した各ダボ１３ａ・・やＤダボ１３ｂをそれぞれ軸方向に嵌合させることのできるダボ孔２ａ・・やＤダボ孔２ｂがそれぞれ貫通して形成されている。したがって、これらダボ１３ａ・・やＤダボ１３ｂを、シートバックフレーム２ｆに形成されたダボ孔２ａ・・やＤダボ孔２ｂにそれぞれ嵌合させて、これら嵌合部をそれぞれ溶接して結合することにより、ラチェット１０がシートバックフレーム２ｆに対して強固に一体的に連結された状態とされている（図７参照）。ここで、図１に示すように、上述したラチェット１０の円盤部１１の軸心部には、前述したリクライニング装置４のロック・アンロックの切換え操作を行う操作軸４ｃ（図２参照）を挿通するための貫通孔１４が形成されている。そして、図３に示すように、シートバックフレーム２ｆにも、この貫通孔１４と同軸線上の位置に、同じ目的の貫通孔２ｃが貫通して形成されている。
【００２１】
次に、図１に戻って、ガイド２０の構成について説明する。ガイド２０は、ラチェット１０とほぼ同径の円盤形状に形成されており、その円盤部２１上の円周方向の４箇所の位置に、ラチェット１０への組み付け方向となる板厚方向に突出する案内壁２１ａ，２１ｂ，２１ｃ，２１ｄ（以下、案内壁２１ａ〜２１ｄとする。）が形成されている。これら案内壁２１ａ〜２１ｄは、円盤部２１の一部が板厚方向に半抜き加工されて形成されており、それらの外周面が、ガイド２０の軸心部のまわりに描かれる同一円の円弧を描く形に湾曲して形成されている。これら４つの案内壁２１ａ〜２１ｄの外周面の円弧を繋いで描かれる円形状は、ラチェット１０の円筒部１２の内周面（内周歯面１２ａ）の円形状よりも僅かに小さくなっている。したがって、上記案内壁２１ａ〜２１ｄを備えたガイド２０とラチェット１０とを板厚方向（軸方向）に組み付けることにより、ガイド２０の各案内壁２１ａ〜２１ｄがラチェット１０の円筒部１２内に嵌まり込んで、両者が互いに相対回転可能に内外に支え合った状態となって組み付けられるようになっている。
【００２２】
上記したガイド２０は、図４に示すように、その円盤部２１の外側の盤面が、シートクッションフレーム３ｆの内側の盤面に接合されて一体的に連結されている。詳しくは、上記ガイド２０の円盤部２１には、その外側の盤面から円筒状に突出する複数のダボ２４ａ・・やＤダボ２４ｂが形成されている。これらダボ２４ａ・・やＤダボ２４ｂは、円盤部２１の比較的外周縁側に近い位置に、互いに円周方向に等間隔に並んで配置形成されている。このうち、Ｄダボ２４ｂは、その突出した円筒形状の一部が断面Ｄ字状に切り欠かれて形成されており、円筒形状に突出したダボ２４ａ・・とは形状が区別されるようになっている。
【００２３】
一方、シートクッションフレーム３ｆには、上述した各ダボ２４ａ・・やＤダボ２４ｂをそれぞれ軸方向に嵌合させることのできるダボ孔３ａ・・やＤダボ孔３ｂがそれぞれ貫通して形成されている。したがって、これらダボ２４ａ・・やＤダボ２４ｂを、シートクッションフレーム３ｆに形成されたダボ孔３ａ・・やＤダボ孔３ｂにそれぞれ嵌合させて、これら嵌合部を溶接して結合することにより、ガイド２０がシートクッションフレーム３ｆに対して強固に一体的に連結されている（図７参照）。ここで、図１に示すように、上述したガイド２０の円盤部２１の軸心部には、前述したリクライニング装置４のロック・アンロックの切換え操作を行う操作軸４ｃ（図２参照）を挿通するための貫通孔２５が形成されている。そして、シートクッションフレーム３ｆにも、この貫通孔２５と同軸線上の位置に、同じ目的を持つ貫通孔３ｃが貫通して形成されている。この貫通孔３ｃは、後述する渦巻きばね６０もその孔内に通せるように大きく開口した形に形成されている。
【００２４】
図１に戻って、上述したガイド２０の円盤部２１には、その内側の盤面上に、板厚方向に「十」符号状に凹んだ形のガイド溝２３が形成されている。このガイド溝２３は、円盤部２１が板厚方向に「十」符号状に半抜き加工されて形成されており、その溝形状がクロスする部位の四隅には、前述した各案内壁２１ａ〜２１ｄが立壁状に突出した状態となって形成されている。上述した各ダボ２４ａ・・やＤダボ２４ｂは、上記ガイド溝２３が形成された部位の外側の盤面上から突出して形成されている。
【００２５】
上述したガイド溝２３は、その「十」符号状に凹んだ溝形状のうち、ガイド２０の軸心部から図示上下左右方向となる各半径方向に延び出す４つの溝部が、それぞれ、上述した４つのポール３０・・をそれぞれ内部に収容することのできるポール溝２３ａ，２３ｂ，２３ｃ，２３ｄ（以下、ポール溝２３ａ〜２３ｄとする。）として形成されている。また、上記各ガイド溝２３の溝形状がクロスする部位の四隅に立壁状に突出して形成されている各案内壁２１ａ〜２１ｄは、上記各ポール溝２３ａ〜２３ｄ内に収容された各ポール３０・・のサイド面にあてがわれて、各ポール３０・・を各ポール溝２３ａ〜２３ｄ内でそれぞれ半径方向の内外方にのみ移動可能となるように支える支持部として構成されている。また、上記ガイド溝２３の溝形状がクロスする中心部の溝部は、後述する回転カム４０を内部に収容することのできるカム溝２３ｅとして形成されている。このカム溝２３ｅは、回転カム４０をその溝内部で軸回転させることができる大きさに形成されている。上記ガイド２０の円盤部２１には、その外側の盤面上の２箇所の位置からピン形状に突出するばね掛部２６，２６が形成されている。これらばね掛部２６，２６は、後述する渦巻きばね６０の外端６２を掛着させるための機能部位となっており、その掛着位置を選択できるように円周方向の２箇所の位置に形成されている（図４参照）。
【００２６】
次に、上述した４個の各ポール３０・・の構成について説明する。これらポール３０・・は、前述したガイド２０に形成された各ポール溝２３ａ〜２３ｄ内にセットされることにより、各ポール溝２３ａ〜２３ｄ内の形状に沿って半径方向の内外方にのみ移動可能となるように円周方向に支持された状態として配設されている。これらポール３０・・は、それらの外周面が、前述したラチェット１０の円筒部１２の内周歯面１２ａと噛合可能に、それぞれ、円筒部１２の内周面形状に即して湾曲した外歯を有した外周歯面３０ａ・・とされて形成されている。
【００２７】
上記構成の各ポール３０・・は、図５に示すように、後述する回転カム４０によって半径方向の外方側に押圧されてスライド操作されることにより、それらの外周歯面３０ａ・・をラチェット１０の円筒部１２の内周歯面１２ａに噛合させた状態となる。これにより、各ポール３０・・は、回転カム４０の押圧力によってラチェット１０に噛合された状態に押し付けられた状態として、ラチェット１０に対して回転方向（円周方向）に一体的な状態とされて保持される。
【００２８】
上記各ポール３０・・は、ガイド２０との関係においては、各案内壁２１ａ〜２１ｄによる円周方向の支えによって、半径方向の内外方にしかスライドすることができないようになっている。したがって、ラチェット１０は、上記各ポール３０・・が噛合されることにより、これらポール３０・・を介してガイド２０に対して回転方向に一体的とされた状態、すなわちガイド２０に対する回転がロックされた状態となって保持される。これにより、リクライニング装置４が回転ロックされた状態となる。
【００２９】
このリクライニング装置４の回転ロック状態は、図６に示すように、回転カム４０が図示時計回り方向に回転操作されて、各ポール３０・・が半径方向の内方側に引き込まれてラチェット１０との噛合状態から外されることにより解除されるようになっている。ここで、上述した各ポール３０・・を回転カム４０の回転操作によって半径方向の外方側に押し出す操作は、図１に示すように、回転カム４０の外周部に突出形成された肩部４２・・や角部４４・・によって行われるようになっている。また、各ポール３０・・を回転カム４０の回転操作によって半径方向の内方側に引き込む操作は、回転カム４０に装着されたレリーズプレート８０によって行われるようになっている。
【００３０】
詳しくは、上記回転カム４０の外周部には、その円周方向の複数箇所において、回転カム４０の回転運動によって、各ポール３０・・の両脚部３２・・をそれぞれ半径方向の内方側から押圧する肩部４２・・が形成されている。また、上記各肩部４２・・と並んで、回転カム４０の外周部上の円周方向の複数箇所には、回転カム４０の回転運動によって、各ポール３０・・の内周面をそれぞれ半径方向の内方側から押圧する角部４４・・が、それぞれ半径方向の外方側に突出した形となって形成されている。これにより、回転カム４０は、その回転運動に伴って、上述した各肩部４２・・と各角部４４・・とによって、各ポール３０・・をそれぞれ半径方向の内方側から三点押しして半径方向の外方側に押し出すようになっている。
【００３１】
そして、上記回転カム４０の円盤面には、薄い円板形状のレリーズプレート８０が回転方向に一体的な状態とされて装着されている。詳しくは、上記レリーズプレート８０は、その中心部近傍の円周方向の３箇所に貫通形成された各装着孔８１・・が、それぞれ、回転カム４０の円盤面上に突出形成された各装着突起４５・・に嵌め込まれてセットされることにより、回転カム４０に対して回転方向に一体的とされた状態に装着されるようになっている。このレリーズプレート８０には、上記回転カム４０の回転運動に伴って、各ポール３０・・に板厚方向（軸方向）に突出形成された各引掛部３１・・にそれぞれ掛合して、各ポール３０・・をそれぞれ半径方向の内方側に引き込むように操作する引込孔８２・・が貫通形成されている。
【００３２】
これら引込孔８２・・は、それらの外周面が、図１の紙面反時計回り方向に向かって半径方向の内方側に傾斜した引込面８２ａ・・として形成されている。これら引込面８２ａ・・は、図６に示すように、レリーズプレート８０が図５の状態から回転カム４０と一体的に図示時計回り方向に回転操作されることにより、各ポール３０・・の引掛部３１・・にそれぞれ外周面側から当てがわれて、各ポール３０・・をその傾斜面形状の案内によって半径方向の内方側に引き込む構成となっている。ここで、上記各ポール３０・・の半径方向の内方側への移動は、それらの脚部３２・・が、回転カム４０の外周部に凹み形成された各溝部４３・・内に入り込むことにより許容されるようになっている。上記レリーズプレート８０の中心部には、前述したリクライニング装置４のロック解除の切換え操作を行う操作軸４ｃ（図２参照）を挿通するための丸孔状の貫通孔８３が形成されている。
【００３３】
ところで、上記回転カム４０は、図５に示すように、常時は、その中心部の貫通孔４１内に装着されたヒンジカム５０を介して、図示反時計回り方向に回転附勢された状態として、各ポール３０・・の各脚部３２・・を各肩部４２・・に乗り上げさせ、かつ、各ポール３０・・の内周面を各角部４４・・によって内周側から押圧して、各ポール３０・・の外周歯面３０ａ・・をラチェット１０の内周歯面１２ａに押し付けて噛合させた状態となって保持されている。
【００３４】
そして、回転カム４０は、図６に示すように、ヒンジカム５０が上記附勢力に抗して図示時計回り方向に回転操作されることにより、同方向に押し回されて、レリーズプレート８０を介して各ポール３０・・を半径方向の内方側に引き込んでラチェット１０との噛合状態から外すようになっている。次に、上記回転操作を行うヒンジカム５０の構成について説明する。ヒンジカム５０は、図１に示すように、上述したガイド２０の中心部に形成された貫通孔２５内に嵌め込まれて回転可能に軸支された状態として、その軸方向に突出した軸部位及びこの軸部位の外周部に突出形成された操作突起５２を、回転カム４０の中心部に貫通形成された貫通孔４１内に嵌め込んだ状態としてセットされている。詳しくは、上記ヒンジカム５０は、その操作突起５２を、回転カム４０の貫通孔４１内の周縁部の一部に凹み形成された操作孔部４１ａ内に入り込ませた状態としてセットされている。
【００３５】
上記ヒンジカム５０は、ガイド２０との間に掛着された渦巻きばね６０の附勢力によって、常時は、ガイド２０に対して図１の紙面向かって反時計回り方向に回転附勢された状態とされている。これにより、ヒンジカム５０は、常時は、上記操作突起５２を介して回転カム４０に同方向（図１の紙面向かって反時計回り方向）への回転附勢力を作用させる構成とされている。上記渦巻きばね６０は、図４に示すように、予め捩り込まれた状態として、その内端６１がヒンジカム５０のばね掛部５１に掛着されており、外端６２がガイド２０のばね掛部２６に掛着されて設けられている。上記ヒンジカム５０には、図２で前述した操作軸４ｃが軸方向に挿通されて回転方向に一体的に装着された状態とされている。これにより、ヒンジカム５０は、図２で前述した操作レバー５の引き上げ操作が行われることによって、図１に示される渦巻きばね６０の附勢力に抗した図示時計回り方向に回転操作されるようになっている。
【００３６】
次に、図１に戻って、外周リング７０の構成について説明する。外周リング７０は、円弧状に打ち抜かれた薄い鋼板から成る２枚のパーツ７０Ａ，７０Ｂにより構成されている。これらパーツ７０Ａ，７０Ｂは、それらの円弧状に形成された各面の外周部が軸方向に半抜き加工されることにより、図示右奥側の一端に、半径方向の内方側に張り出して軸方向に面を向けたフランジ状の保持面部７１，７１が形成され、これら保持面部７１，７１の外周部に軸方向に半円筒状に張り出す囲い部７２，７２がそれぞれ形成された構成となっている。上記外周リング７０の各パーツ７０Ａ，７０Ｂは、図７に示すように、上述したラチェット１０及びガイド２０に対して、それらの保持面部７１，７１がラチェット１０の外周部（円筒部１２）に軸方向の外側からあてがわれ、囲い部７２，７２がラチェット１０の外周部（円筒部１２）とガイド２０の外周部２２とに跨って、これら外周部を半径方向の外方側からそれぞれ覆った状態となって組み付けられるようになっている。
【００３７】
詳しくは、上記外周リング７０の各パーツ７０Ａ，７０Ｂは、図８〜図９に示すように、それらの囲い部７２，７２が、ガイド２０の外周部２２よりも緩やかな曲率の円弧形状に湾曲して形成されている。そして、これらパーツ７０Ａ，７０Ｂは、ガイド２０の外周部２２に径方向の外側からそれぞれ組み付けられて、この外周部２２との曲率の違いにより当接するそれらの円弧形状の中央の各一点の当接箇所７３Ａ，７３Ｂがそれぞれ外周部２２にレーザー溶接された状態で、同外周部２２に沿うように他の箇所が曲げ加工されて組み付けられている。そして、上記各パーツ７０Ａ，７０Ｂは、上述した曲げ加工された上側と下側の各端部７４Ａ，７４Ｂ同士がそれぞれ円周方向に合わされた状態とされて、これら合わせられた端部７４Ａ，７４Ｂ同士がレーザー溶接によりガイド２０の外周部２２にひとまとめに溶着されて固定された状態とされている。
【００３８】
ここで、上述した外周リング７０の各パーツ７０Ａ，７０Ｂは、その円周方向に組み合わされる全周の長さが、ガイド２０の外周部２２の周長よりも長く設定されており、上述した曲げ加工によってガイド２０の外周部２２に沿って組み付けられることにより、互いの合わされる端部７４Ａ，７４Ｂ同士が円周方向に重合する関係となる構成となっている。しかし、上記各パーツ７０Ａ，７０Ｂの互いに合わされる各端部７４Ａ，７４Ｂの形状は、互いに軸方向に形状がずらされて、互いの円周方向の重なりが逃がされる構造とされており、上述したガイド２０の外周部２２との周長差を吸収することのできる逃がし構造を備えた構成とされている。
【００３９】
具体的には、図１及び図１０に示すように、上記各パーツ７０Ａ，７０Ｂの互いに合わされる各端部７４Ａ，７４Ｂの形状は、互いに相異なる軸方向位置から円周方向に延びる凸形状を備えた形状とされており、上述したガイド２０の外周部２２との周長差は、これら凸形状同士が互いに軸方向には重合せず、互いに軸方向に当接した状態を、円周方向にずらす広い範囲でとることができる構成により吸収できるようになっている。これにより、上記各パーツ７０Ａ，７０Ｂの囲い部７２，７２を、上記ガイド２０の外周部２２との周長差を吸収した状態として、これら２つの囲い部７２，７２によってガイド２０の外周部２２を全周に亘ってひとつなぎに囲った状態として、円周方向の４箇所の位置でガイド２０の外周部２２にレーザー溶接して一体的に結合することができるようになっている。そして、上記結合により、外周リング７０は、その各パーツ７０Ａ，７０Ｂの保持面部７１，７１により、ラチェット１０をガイド２０に対して軸方向に外れないように保持した状態として、ラチェット１０とガイド２０とを軸方向に組み付けた状態に保持するようになっている。
【００４０】
上記外周リング７０の各パーツ７０Ａ，７０Ｂをガイド２０の外周部２２に結合するレーザー溶接は、これらの当接部に径方向の外側からレーザー光が照射されて行われている。しかし、このレーザー溶接は、外周リング７０の各パーツ７０Ａ，７０Ｂの囲い部７２，７２とガイド２０の外周部２２との当接部が、それぞれ、ガイド２０の軸方向の外側（図７における紙面右側）に露呈する関係となることから、この当接部に向かって、ガイド２０の軸方向の外側からレーザー光を軸方向に真っ直ぐに照射して行うこともできる。
【００４１】
ところで、図１に示すように、上述したラチェット１０には、薄い円板形状のフリーゾーンプレート９０が装着されている。このフリーゾーンプレート９０は、その円板部の中心部近傍の円周方向の２箇所の位置に装着孔９１・・が貫通形成されており、これら装着孔９１・・をラチェット１０の内側の盤面上に突出形成された各装着突起１５・・に嵌合させることにより、ラチェット１０に対して回転方向に一体的に装着された状態とされている。また、フリーゾーンプレート９０の中心部には、前述したリクライニング装置４のロック解除の切換え操作を行う操作軸４ｃ（図２参照）を挿通するための貫通孔９４が貫通して形成されている。
【００４２】
上記フリーゾーンプレート９０には、その外周縁近傍の部位に、広い円弧形状に開口した逃がし口９２が貫通して形成されている。この逃がし口９２は、図１に示す上方側のポール３０（ポール溝２３ａにセットされるポール３０）に突出形成された突起部３３を内部に受け入れた状態に組み付けられるようになっており、このポール３０が回転カム４０に押圧されて半径方向の外方側に押し出される移動を逃がすことのできる大きさ形状に形成されている。
【００４３】
しかし、この逃がし口９２の外周面上の一部には、同外周面上から半径方向の内方側に棚状に突出する規制面９３が形成されている。この規制面９３は、図６を参照して分かるように、ラチェット１０との一体的な回転移動によって、その円周方向の配置が、図示上方側のポール３０（ポール溝２３ａにセットされるポール３０）がロック移動する進行方向先の位置に位置付けられることにより、ポール３０のロック移動を突起部３３を乗り上げさせることによって阻止する構成となっている。
【００４４】
具体的には、上記規制面９３は、上記ポール３０がロック移動する際に、ポール３０の外周歯面３０ａがラチェット１０の内周歯面１２ａと噛合する前の移動途中の位置で突起部３３と当接し、同ポール３０のロック移動の進行を阻止して、リクライニング装置４のロック作動を阻止するようになっている。そして、このポール３０のロック移動が阻止されることにより、これに押し出し方向の押圧力をかけている回転カム４０の回転移動も制止された状態となり、他の３つのポール３０・・のロック移動も止められて、リクライニング装置４がアンロック状態に留められるようになっている。
【００４５】
このように、上記したフリーゾーンプレート９０に形成された規制面９３が図示上方側のポール３０の突起部３３と干渉する回転角度領域では、リクライニング装置４のロック作動が阻止されて、リクライニング装置４がアンロック状態に保たれるようになっており、この回転角度領域が、前述したフリーゾーンを構成する回転角度領域として設定されている。また、上記規制面９３が図示上方側のポール３０の突起部３３と干渉することなく、ポール３０がラチェット１０と噛合する回転角度領域が、リクライニング装置４がロック状態に戻されるロックゾーンとして設定されている。
【００４６】
このように、本実施例のリクライニング装置４の構成によれば、外周リング７０を構成する各パーツ７０Ａ，７０Ｂが緩やかな曲率の円弧形状とされていることにより、各パーツ７０Ａ，７０Ｂをガイド２０の外周部２２に径方向の外側からあてがうことで、各パーツ７０Ａ，７０Ｂが上記外周部２２に対して互いの曲率の違いによりそれぞれ一点の当接箇所７３Ａ，７３Ｂでのみ当接した状態となる。この当接箇所７３Ａ，７３Ｂは、上記曲率の違いによって狙ったポイントで得ることができるため、この当接箇所７３Ａ，７３Ｂを溶接することにより、各パーツ７０Ａ，７０Ｂをガイド２０に対して適切に接合して組み付けることができる。
【００４７】
また、外周リング７０の各パーツ７０Ａ，７０Ｂを組み合わせた全周長が、これらの組み付けられるガイド２０の外周部２２の周長より長く設定されていても、上述した逃がし構造により、各パーツ７０Ａ，７０Ｂを重ねることなく組み付けることができる。したがって、外周リング７０の各パーツ７０Ａ，７０Ｂを、ガイド２０の外周部２２により広くあてがえて適切に接合して組み付けることができる。また、各パーツ７０Ａ，７０Ｂの互いに合わされる端部７４Ａ，７４Ｂ同士をガイド２０の外周部２２と共に溶接して一体的に結合したことにより、各パーツ７０Ａ，７０Ｂをガイド２０に対してより強固に適切に接合して組み付けることができる。
【００４８】
以上、本発明の実施形態を１つの実施例を用いて説明したが、本発明は上記実施例のほか各種の形態で実施できるものである。例えば、上記実施例では、本発明の車両用シートの連結装置を、シートバック２をシートクッション３に対して背凭れ角度調整可能に連結するリクライニング装置４として適用したものを示した。しかし、本発明の車両用シートの連結装置は、シートバックを車体フロアに対して傾動可能に連結したりシートクッションを車体フロアに傾動可能に連結したりする用途にも適用することができる。また、車両用シートの連結装置は、シート本体を車体フロアに対して旋回方向に回転させられるように連結する用途にも適用することができる。また、車両用シートの連結装置は、着座者の下腿部を下方側から持ち上げて支持するいわゆるオットマン装置をシートクッションや車体フロアに対して傾動可能に連結する用途にも適用することができる。
【００４９】
また、上記実施例では、ラチェット１０がシートバックフレーム２ｆに連結され、ガイド２０がシートクッションフレーム３ｆに連結された構成を例示したが、ラチェットがシートクッションフレームに組み付けられ、ガイドがシートバックフレームに組み付けられる構成であってもよい。また、本発明の「ロック部材」に相当するポール３０・・のロック・アンロックの作動が、半径方向への真っ直ぐなスライド運動によって行われる構成とされたものを示したが、円周方向への移動を伴うような他の形態の運動によって行われるものであってもよい。また、上記実施例では、ポール３０・・が円周方向の４箇所に設置された構成を例示したが、ポールの配置個数は、１個〜３個のいずれであっても構わない。
【００５０】
また、上記実施例では、外周リング７０（本発明の「外周保持部材」に相当する。）の各パーツ７０Ａ，７０Ｂの組み合わされた全周の長さが、ガイド２０（本発明の「他方側の円盤部材」に相当する。）の外周部２２の周長よりも長く設定されたものを示したが、短く設定されたものであってもよい。この場合には、外周リング７０の各パーツ７０Ａ，７０Ｂの両端部７４Ａ，７４Ｂ同士を繋げて結合することはできなくなるが、各パーツ７０Ａ，７０Ｂそれぞれがガイド２０の外周部２２に溶接されて一体的に結合されていればよい。また、外周保持部材と他方側の円盤部材との溶接は、アーク溶接によって行われるものであってもよい。
【００５１】
また、車両用シートの連結装置は、特開２０１１−０７３４８０号公報等に記載された構成のように、内歯車を有する円盤部材と、外歯車を有する円盤部材と、を互いに内外に噛合させた状態として、これらを互いの噛み合い位置を変化させる態様で相対回転させるタイプの構成であってもよい。これら両歯車間の相対回転は、両歯車間に設けられた楔構造（本発明のロック部材に相当する。）の押し付け力により、一方側の歯車部材が他方側の歯車部材に対して強く押し付けられて係止されるようになっている。
【符号の説明】
【００５２】
１      車両用シート
２      シートバック
２ｆ    シートバックフレーム（車両用シートを構成する部材）
２ａ    ダボ孔
２ｂ    Ｄダボ孔
２ｃ    貫通孔
３      シートクッション
３ｆ    シートクッションフレーム（車両用シートを構成する部材）
３ａ    ダボ孔
３ｂ    Ｄダボ孔
３ｃ    貫通孔
４      リクライニング装置（車両用シートの連結装置）
４ｃ    操作軸
４ｒ    コネクティングロッド
５      操作レバー
１０    ラチェット（一方側の円盤部材）
１１    円盤部
１２    円筒部
１２ａ  内周歯面
１３ａ  ダボ
１３ｂ  Ｄダボ
１４    貫通孔
１５    装着突起
２０    ガイド（他方側の円盤部材）
２１    円盤部
２１ａ〜２１ｄ  案内壁
２２    外周部
２３    ガイド溝
２３ａ〜２３ｄ  ポール溝
２３ｅ  カム溝
２４ａ  ダボ
２４ｂ  Ｄダボ
２５    貫通孔
２６    ばね掛部
３０    ポール（ロック部材）
３０ａ  外周歯面
３１    引掛部
３２    脚部
３３    突起部
４０    回転カム
４１    貫通孔
４１ａ  操作孔部
４２    肩部
４３    溝部
４４    角部
４５    装着突起
５０    ヒンジカム
５１    ばね掛部
５２    操作突起
６０    渦巻きばね
６１    内端
６２    外端
７０    外周リング（外周保持部材）
７０Ａ，７０Ｂ  パーツ
７１    保持面部
７２    囲い部
７３Ａ，７３Ｂ  当接箇所
７４Ａ，７４Ｂ  端部
８０    レリーズプレート
８１    装着孔
８２    引込孔
８２ａ  引込面
８３    貫通孔
９０    フリーゾーンプレート
９１    装着孔
９２    逃がし口
９３    規制面
９４    貫通孔
【図１】
2013006545.tif 000003
【図２】
2013006545.tif 000004
【図３】
2013006545.tif 000005
【図４】
2013006545.tif 000006
【図５】
2013006545.tif 000007
【図６】
2013006545.tif 000008
【図７】
2013006545.tif 000009
【図８】
2013006545.tif 000010
【図９】
2013006545.tif 000011
【図１０】
2013006545.tif 000012